(57)【要約】  ミラーディスプレイ１００上に画像を提示する装置は、バックライトと表示領域とを有する電子ディスプレイ１０４を備える。カバーガラス２０４は、表面積が表示領域を実質的に覆うように電子ディスプレイ１０４の前に実質的に平行に配置された表面積を有する。前記カバーガラス２０４の上に位置し、それと実質的に同一の広がりを有する反射層２０５は、反射層２０５が表示領域の上方に位置するところで部分的に銀メッキされ、その残りの表面が実質的に完全に銀メッキされている。
2019527849.tif 000002
【特許請求の範囲】
【請求項１】
ミラーディスプレイ上に画像を提示する装置であって、
表示領域を有し、且つ、バックライトを備える電子ディスプレイアセンブリと、
表面積が前記表示領域を実質的に覆うように、前記電子ディスプレイアセンブリの前に実質的に平行に配置される前記表面積を有するカバーガラスと、
前記カバーガラス上に配置され、前記カバーガラスと実質的に同一の広がりを有する反射層と、
を備え、
前記反射層は、前記反射層が前記表示領域の上方に位置するところで部分的に銀メッキされ、その残りの表面が実質的に完全に銀メッキされている、装置。
【請求項２】
前記電子ディスプレイは、前記バックライトの前に実質的に平行に配置される液晶スタックを備える、請求項１に記載の装置。
【請求項３】
前記電子ディスプレイ、前記カバーガラスおよび前記反射層の少なくとも背面、側面、上面および底面を囲むハウジングを
さらに備える、請求項１又は２に記載の装置。
【請求項４】
前記反射層が前記表示領域の上方に位置しているところで前記反射層は、実質的に半銀メッキされている、請求項１〜３のいずれか一項に記載の装置。
【請求項５】
人の存在を検出するように構成されたセンサと、
前記センサおよび前記電子ディスプレイと電気的に接続されたプロセッサと、
をさらに備え、
前記プロセッサは、前記ミラーディスプレイの前に人が存在することを前記センサが検出した場合に、前記電子ディスプレイアセンブリ上に表示される画像を変更するように構成される、請求項１〜４のいずれか一項に記載の装置。
【請求項６】
前記プロセッサは、前記センサが人の存在を検出するまで、前記電子ディスプレイアセンブリを低電力モードで動作させることによって前記センサが人の存在を検出した場合に、前記電子ディスプレイアセンブリ上に表示される画像を変更するように構成される、請求項５に記載の装置。
【請求項７】
前記表示領域の前に実質的に平行に配置されているタッチスクリーン層を、
さらに備え、
前記タッチスクリーン層は、人からタッチ入力を受信するように構成され、
前記タッチスクリーン層と電気的に接続されるプロセッサは、受信された前記タッチ入力に基づいて前記電子ディスプレイアセンブリ上に表示される画像を変更するように構成される、請求項１〜６のいずれか一項に記載の装置。
【請求項８】
前記電子ディスプレイアセンブリと電気的に接続されたタイミング制御盤と、
プロセッサと電気的に接続されたビデオプレーヤと、
をさらに備える、請求項１〜７のいずれか一項に記載の装置。
【請求項９】
前記電子ディスプレイアセンブリと電気的に接続されたネットワークインターフェースコントローラを
さらに備える、請求項１〜８のいずれか一項に記載の装置。
【請求項１０】
前記カバーガラスの下に実質的に平行に配置され、前記カバーガラスと実質的に同一の広がりを有する第１の光学フィルムと、
前記第１の光学層の下に実質的に平行に配置され、前記第１の光学層と実質的に同一の広がりを有する第２の光学フィルムと、
さらに備える、請求項１〜９のいずれか一項に記載の装置。
【請求項１１】
前記表面積は、前記表示領域の大きさの少なくとも２倍である、請求項１〜１０のいずれか一項に記載の装置。
【請求項１２】
前記反射層の実質的に完全に銀メッキされた部分の下に配置された不透明層を
さらに備える、請求項１〜１１のいずれか一項に記載の装置。
【請求項１３】
ミラーディスプレイ上に画像を提示するシステムであって、
表示領域を有する前記電子ディスプレイと、
表面積を有する透明カバーであって、前記表面積が前記表示領域を実質的に覆うように前記電子ディスプレイアセンブリの前に実質的に平行に配置された前記透明カバーと、
透明パネルと平行に配置され、前記透明パネルと実質的に同一の広がりを有する前記反射層であって、前記反射層は、前記反射層が前記表示領域の上方に位置するところで部分的に銀メッキされて、その残りの部分が実質的に完全に銀メッキされている、前記反射層と、
前記電子ディスプレイに電気的に接続されたタイミング制御盤と、
前記タイミング制御盤に電気的に接続された前記ビデオプレーヤと、
を備える、システム。
【請求項１４】
前記反射層と前記電子ディスプレイとの間に配置されたタッチスクリーンを
さらに備え、
前記タッチスクリーンは、前記電子ディスプレイの少なくとも一部と同一の広がり有する、請求項１３に記載のシステム。
【請求項１５】
前記ミラーディスプレイにおいて人を検出するように配置および構成されたセンサを
さらに備える、請求項１３又は１４に記載のシステム。
【請求項１６】
前記ビデオプレーヤおよびセンサと電気的に接続されているプロセッサを
さらに備え、
前記プロセッサは、前記センサが人の存在を検出した場合に画像を変更するように構成される、請求項１３〜１５のいずれか一項に記載のシステム。
【請求項１７】
ミラーディスプレイ上に画像を提示する方法であって、
透明パネルおよび反射層の後ろに実質的に平行に配置された電子ディスプレイを提供すること、ここで、前記反射層は、前記透明パネル上に位置し、且つ、前記透明パネルと実質的に同一の広がりを有し、また、前記反射層は、前記反射層が前記電子ディスプレイの上方に位置するところで部分的に銀メッキされて、その残りの部分が実質的に完全に銀メッキされており、また、センサは、前記ミラーディスプレイの近くの人の存在を検出するように構成されており、
画像を前記電子ディスプレイ上に表示すること、
前記ミラーディスプレイの近くの人の存在を監視すること、
人が検出されない場合に前記電子ディスプレイを低電力モードで動作させること、および
人が検出された場合に前記電子ディスプレイを通常モードで動作させることと、
を含む方法。
【請求項１８】
前記電子ディスプレイの上に配置され、前記電子ディスプレイと実質的に同一の広がりを有するタッチスクリーン層を提供すること、
人からのタッチ入力を検出すること、および
前記タッチ入力に応じて画像を調整することと、
をさらに含む、請求項１７に記載の方法。
【請求項１９】
表示される前記画像は、衣料品であり、
前記画像は、タッチ入力に応答して異なる衣料品に変更される、請求項１７又は１８に記載の方法。
【請求項２０】
ネットワークインターフェースコントローラを提供すること、
前記ネットワークインターフェースコントローラを介して前記画像に関する指示を受信すること、および
受信した指示に基づいて前記画像を調整することと、
を更に含む、請求項１７〜１９のいずれか一項に記載の方法。
【発明の詳細な説明】
【技術分野】
【０００１】
（関連出願の相互参照）
[0001] 本出願は、２０１６年７月８日に出願された米国仮特許出願第６２／３６０，１７５号の利益を主張し、その開示はその全体が参照により本明細書に組み込まれる。
【０００２】
（技術分野）
[0002] 本発明の実施形態は、一般に電子ディスプレイに関する。
【背景技術】
【０００３】
（発明的概要の背景及び概要）
[0003] ミラーは実用的および装飾的な目的のために使用され、そして両方の目的のためにしばしば小売店に置かれる。例えば、ミラーを試着室または小売商品の近くに配置して、購入前に人が自分自身で製品のフィット感および外観を見ることができるようにする。双方向ミラー（時には一方向ミラーとも呼ばれる）は、ミラーの片側からの半透明の視野と、ミラーの反対側からの半反射の視野を提示する。これらのミラーは、尋問室で警察によって使用されているので、例えば、調査官または目撃者は尋問されている人を観察することができるが、尋問されている人は観察者を見ることができない。これらのミラーは、例えば、防犯カメラのレンズの方向を隠すために店舗でも使用され、その他多くの用途にも使用されている。
【０００４】
[0004] 広告ディスプレイは、様々な製品およびサービスを宣伝するために小売店で長い間使用されてきた。これらの広告ディスプレイは、静的なポスターまたは電子ディスプレイ上に表示される画像であり得る。
【発明の概要】
【課題を解決するための手段】
【０００５】
[0005] ミラーディスプレイの例示的な実施形態は、一体型電子ディスプレイを有する光学スタックに関する。光学スタックは、電子ディスプレイが照明されている場合に電子ディスプレイ上に表示される画像を光学スタックを通して見ることができるように、その後ろに電子ディスプレイが取り付けられた双方向ミラーであってもよい。電子ディスプレイが照明されていない場合、光学スタックは反射面として見え得る。ミラーディスプレイは、ビデオプレーヤ、タイミング制御盤、ならびに電子ディスプレイに電気的に接続され、電子ディスプレイ上に表示される静止画像またはビデオ画像を制御するように構成された他の構成要素も備えることができる。
【０００６】
[0006] 他の例示的な実施形態では、電子ディスプレイは静電容量式タッチスクリーンディスプレイであってもよい。ミラーディスプレイは、ユーザの入力を受信し、ユーザの入力に基づいて表示される画像を更新するプロセッサをさらに備えることができる。例えば、限定として機能せず、ユーザは、実際に衣料品を着用する必要なしにユーザ上の衣料品の視覚的描写を見ることができるように、ミラーディスプレイ上に表示するための様々な衣料品を選択することができる。ミラーディスプレイは、人がミラーディスプレイの視野内にいる場合にそれを検出するセンサを備えることができ、それに応じて電子ディスプレイを動作することができる。
【０００７】
[0007] ミラーディスプレイ上の画像を視聴者に提示する装置が以下を備えてもよい。電子ディスプレイアセンブリは表示領域を有することができる。電子ディスプレイアセンブリは、前記視聴者に面するように配置されてもよい。電子ディスプレイアセンブリはバックライトを備え得る。ミラーディスプレイは、表面積を有するカバーガラスを備え得る。カバーガラスは、電子ディスプレイアセンブリの前に実質的に平行に配置されてもよい。表面積は表示領域を完全に覆ってもよい。反射層をカバーガラス上に配置することができる。カバーガラスは、反射層と実質的に同一の広がりを有し得る。反射層は、反射層が表示領域の上方に位置するところで部分的に銀メッキされてもよい。反射層は、その残りの表面を実質的に完全に銀メッキすることができる。
【０００８】
[0008] ミラーディスプレイ上の画像を視聴者に提示する方法は、電子ディスプレイを提供するステップを含み得る。電子ディスプレイは、透明パネルおよび反射層の後ろに実質的に平行に配置することができる。反射層は、透明パネル上に配置されてもよく、それと同一の広がりを有してもよい。反射層は、該反射層が電子ディスプレイの上方に位置するところで部分的に銀メッキされてもよい。反射層は、その残りの部分にわたって実質的に完全に銀メッキされていてもよい。視聴者の存在を検出するように構成されたセンサを設けることもできる。画像は電子ディスプレイ上に表示されてもよい。視聴者の存在を監視することができる。視聴者が検出されない場合、ディスプレイは低電力モードで動作されてもよい。視聴者が検出された場合、ディスプレイは通常モードで動作してもよい。
【図面の簡単な説明】
【０００９】
（図面の簡単な説明）
[0009] 上記の特徴に加えて、本発明の他の態様は、図面および例示的な実施形態の以下の説明から容易に明らかとなり、いくつかの図にわたって同様の参照番号は同一または同等の特徴を指す。
【図１】[0010] 図１は、切断線Ａ−Ａも示すミラーディスプレイの例示的な実施形態の簡略ブロック図である。
【図２】[0011] 図２は、図１の切断線Ａ−Ａに沿った詳細な断面図である。
【図３】[0012] 図３は、切断線Ｂ−ＢおよびＣ−Ｃも示しているミラーディスプレイの別の例示的な実施形態の簡略ブロック図である。
【図４】[0013] 図４は、図３の切断線Ｂ−Ｂに沿った詳細な断面図である。
【図５】[0014] 図５は、図３の切断線Ｃ−Ｃに沿った詳細な断面図である。
【図６】[0015] 図６は、図１または図３のいずれかのミラーディスプレイを動作するための例示的な論理フローチャートである。
【発明を実施するための形態】
【００１０】
（例示的な実施形態の詳細な説明）
[0016] 本発明は、本発明の例示的な実施形態が示されている添付の図面を参照して以下でより十分に説明される。しかしながら、本発明は、多くの異なる形態で具体化することができ、本明細書に記載の例示的な実施形態に限定されると解釈されるべきではない。むしろ、これらの実施形態は、本開示が徹底的かつ完全であり、本発明の範囲を当業者に十分に伝えるように提供されている。図面において、層および領域の大きさおよび相対的な大きさは、明確さのために誇張される場合がある。
【００１１】
[0017] 本明細書で使用される用語は、特定の実施形態を説明することのみを目的としており、本発明を限定することを意図するものではない。本明細書で使用されるように、単数形「ａ」、「ａｎ」および「ｔｈｅ」は、文脈が明らかにそうでないと示さない限り、複数形も含むことを意図している。本明細書で使用される場合、用語「含む（ｃｏｍｐｒｉｓｅ）」および／または「含む（ｃｏｍｐｒｉｓｉｎｇ）」は、述べられた特徴、整数、ステップ、動作、要素、および／または構成要素の存在を特定するが、１つ以上の他の特徴、整数、ステップ、動作、要素、構成要素、および／またはそれらのグループの存在または追加を排除しないことがさらに理解されるだろう。
【００１２】
[0018] 本発明の実施形態は、本発明の理想化された実施形態の概略図（および中間構造）である説明図を参照して本明細書に記載される。そういうものとして、例えば、製造技術および／または公差の結果としての図の形状からの変形が予想されるべきである。したがって、本発明の実施形態は、本明細書に示された領域の特定の形状に限定されると解釈されるべきではなく、例えば、製造から生じる形状の偏差を含むべきである。
【００１３】
[0019] 他に定義されない限り、本明細書で使用されるすべての用語（技術用語および科学用語を含む）は、本発明が属する技術分野の当業者によって一般に理解されるのと同じ意味を有する。さらに、一般的に使用される辞書で定義されているような用語は、関連技術の文脈におけるそれらの意味と一致する意味を有すると解釈されるべきであり、本明細書で明示的にそのように定義されない場合、理想的または過度に形式的な意味で解釈されない。
【００１４】
[0020] 本明細書に記載されているもののような電子ディスプレイが、映像と同様に静止画像を表示することができることは周知である。本明細書で使用されるように、装置の機能はそれが例示的な実施形態に関連するのと同じであるので、用語は互換的である。
【００１５】
[0021] 図１を参照する。例示的な実施形態では、ミラーディスプレイ１００は、光学スタック１０２と、電子ディスプレイ１０４と、を備える。ミラーディスプレイ１００は、反射面がユーザ／視聴者に面するように光学スタック１０２をフレームで固定するキャビネットまたはハウジングを備えることができて、キャビネットは、ミラーディスプレイ１００の他の構成要素を固定することもできる。例示的な実施形態では、キャビネットまたはハウジングは、光学スタック１０２および他の構成要素の少なくとも背面、側面、上面、および底面を囲むことができる。ミラーディスプレイ１００および光学スタック１０２は、互いに対して任意の大きさおよび形状であり得る。光学スタック１０２は、銀、錫、ニッケル、水銀、アルミニウム、酸化アルミニウム、金、クロム、酸化ケイ素、窒化ケイ素、それらの組み合わせなどの、しかしそれらに限定されない１つまたは複数の反射材料を備えることができる。部分的に銀メッキされたまたは半銀メッキされたミラーはまた、非導電性の「銀メッキされた」外観のミラーをもたらすそのような順序で誘電体光学コーティング構成要素を組織化することによっても達成され得る。
【００１６】
[0022] 光学スタック１０２は、双方向（別名で、以下では一方向）ミラー設計であってもよい。双方向ミラー設計を達成するために、光学スタック１０２を部分的に銀メッキすることができる。例示的な実施形態では、光学スタック１０２は実質的に半銀メッキすることができる。このように、電子ディスプレイ１０４の一部または全部が照明される場合、その上に表示される画像は光学スタック１０２を通して見え、電子ディスプレイ１０４および光学スタック１０２の照明されていない部分は反射面として見え得る。例示的な実施形態では、光学スタック１０２はカバーガラスまたは透明カバーを備え得る。
【００１７】
[0023] 電子ディスプレイ１０４は、光学スタック１０２の背後のミラーディスプレイ１００の内側に取り付けることができる。電子ディスプレイ１０４は表示領域を有することができる。例示的な実施形態では、任意の大きさおよび形状の電子ディスプレイ１０４が企図されるが、電子ディスプレイ１０２は、ミラーディスプレイ１００の総表面積よりも小さい表面積を有する。電子ディスプレイ１０４は、液晶ディスプレイ（ＬＣＤ）、発光ダイオード（ＬＥＤ）、有機ＬＥＤ（ＯＬＥＤ）、エレクトロルミネセントポリマーディスプレイなどの、ただしこれらに限定されない、任意の種類の電子ディスプレイ１０４であってもよい。例示的な実施形態では、その下に配置された電子ディスプレイ１０４を有する光学スタック１０２の部分のみが双方向設計のものであり得て、一方、光学スタック１０２の残りの部分は通常のミラー（すなわち実質的に完全に銀メッキされた）面のものであり得る。他の例示的な実施形態では、光学スタック１０２全体が双方向設計のものであってもよい。
【００１８】
[0024] 例示的な実施形態では、光学スタック１０２は反射層２０５を備えることができる。反射層２０５は、光学スタック１０２と実質的に同一の広がり有することができる。反射層２０５は、部分的に銀メッキされているか、または半銀メッキされているように、反射材料から構成されていてもよい。例示的な実施形態では、反射層２０５は、反射層２０５が電子ディスプレイ１０４または表示領域の上に位置するところで部分的に銀メッキされ、その残りの表面が実質的に完全に銀メッキされている。
【００１９】
[0025] 電子ディスプレイ１０４は、ビデオプレーヤ１０８と電気的に接続することができるタイミング制御盤（ＴＣＯＮ）１０６と電気的に接続することができる。ＴＣＯＮ１０６およびビデオプレーヤ１０８は、光学スタック１０２用のキャビネットに取り付けられてもよく、または遠隔に配置されてもよい。ＴＣＯＮ１０６およびビデオプレーヤ１０８は、電子ディスプレイ１０４上に表示される画像を制御することができる。例えば、限定を意図するものではないが、一般的な広告画像は電子ディスプレイ１０４上のどこにでも表示することができる。代替として、衣料品の画像をミラーディスプレイ１００上に表示し、実際に衣料品を試着しないで、視聴者が、衣料品が身体にどのようにフィットして見えるかの視覚的描写を見ることができるように、視聴者の反射の上に寸法決め／配置することができる。
【００２０】
[0026] 図２を参照する。図１の切断線Ａ−Ａに沿った詳細な断面図は、ミラーディスプレイ１００の光学スタック１０２および電子ディスプレイ１０４を備える様々な層を明らかにする。切断線Ａ−Ａは、ミラーディスプレイ１００の指示された部分を水平に切断することが好ましい。ガラスパネル２０４が光学スタック１０２の最外層を形成してもよい。ガラスパネル２０４はカバーガラスであってもよい。第１の光学フィルム２０６は、好ましくは屈折率整合光学接着剤を用いてガラスパネル２０４の背面に接着されるのが好ましい。第２の光学フィルム２０７は、やはり好ましくは屈折率整合光学接着剤を使用して、第１の光学フィルム２０６の背面に接着されてもよい。例示的な実施形態では、第２の光学フィルム２０７は、片面または両面に反射防止コーティングを備え得る。いくつかの代替実施形態では、第１の光学フィルム２０６の片面または両面は反射防止コーティングを備えてもよい。さらに、ガラスパネル２０４の最外面も反射防止コーティングを備えることができる。好ましくは、第１の光学フィルム２０６は、ＴＡＣなどのゼロ偏光フィルム、またはＸＥＮＯＲゼロ偏光フィルム、あるいは直線偏光子であり得る。また好ましくは、第２の光学フィルム２０７は直線偏光子である。しかしながら、いくつかの実施形態では、第２の光学フィルム２０７は、代わりに、低複屈折の１層または２層あるいはゼロ偏光フィルムを備える投影型静電容量式タッチスクリーンである。
【００２１】
[0027] 反射層２０５は、ガラスパネル２０４と一体的に形成され、その上に位置付けられ、または隣接して配置され、電子ディスプレイ１０４の上方に配置される部分上に部分的に銀メッキされ、電子ディスプレイ１０４がその下に配置されていない部分は、実質的に完全に銀メッキされ得る。他の例示的な実施形態では、光学スタック１０２全体が部分的に銀メッキされているか、または反射層２０５を光学スタック１０２内のどこにでも配置することができる。ガラスパネル２０４の背面は、黒色に塗装されるか、完全にまたは部分的に不透明な層で裏打ちされてもよく、あるいは電子ディスプレイ１０４がその下に配置されていない場所において、完全にまたは部分的に不透明な層の上に取り付けられてもよい。これにより、光学スタック１０２の反射率を向上させることができる。
【００２２】
[0028] 電子ディスプレイ１０４は、光学スタック１０２の下に配置されてもよく、一連の層から構成され得て、その仕様は、選択された電子ディスプレイ１０４の種類に依存する。例示的な実施形態では、電子ディスプレイ１０４は、液晶スタックを照明するように配置されたバックライトを有する液晶スタックを備える。
【００２３】
[0029] 図３を参照する。別の例示的な実施形態では、ミラーディスプレイ２００は、対話力を高め、他の望ましい利点を提供するためにいくつかの機能を追加した、図１のミラーディスプレイ１００と同様であってもよい。センサ１１６は、ミラーディスプレイ２００のキャビネットまたはハウジングに取り付けることができ、あるいは光学スタック１０２の双方向部分の後ろに配置することができる。センサ１１６は、モーションセンサ、近接センサなどであり得て、ユーザ／視聴者がミラーディスプレイ２００の前か、またはそれに近接して立っているのかを検出するように構成され得る。他の例示的な実施形態では、センサ１１６は周囲光センサをさらに備えることができ、電子ディスプレイ１０４の照明レベルを調整することができる。とにかく、センサ１１６はプロセッサ１１２と電気的に接続（有線または無線）してもよく、プロセッサ１１２はビデオプレーヤ１０８と電気的に接続（有線または無線）してもよい。
【００２４】
[0030] 例示的な実施形態では、電子ディスプレイ１０４は、タッチスクリーン技術、好ましくは静電容量式タッチスクリーンを備えることができ、プロセッサ１１２も複数のタッチ入力１１４と電気通信することができる。タッチ入力１１４はユーザの入力を受信し、プロセッサ１１２はユーザのタッチの位置、種類、持続時間などを決定し、ビデオディスプレーヤ１０８に電子ディスプレイ１０４上に表示されている画像に適切な変更を加えるように指示することができる。
【００２５】
[0031] さらに、ミラーディスプレイ２００は、ネットワークインターフェースコントローラ１１０を備えることができる。ネットワークインターフェースコントローラ１１０は、ビデオプレーヤ１０８またはミラーディスプレイ２００の他の構成要素と電気的に接続（有線または無線で）することができる。ネットワークインターフェースコントローラ１１０は、ミラーディスプレイ２００をインターネット、イントラネット、衛星通信ネットワーク、セルラネットワーク、ワールドワイドウェブなどの通信ネットワークに接続することができる。このようにして、ミラーディスプレイ２００は、表示されるべき画像またはミラーディスプレイ２００の一般の動作についての遠隔更新を受信することができる。
【００２６】
[0032] 図４を参照する。図３の切断線Ｂ−Ｂに沿った詳細な断面図は、ミラーディスプレイ２００の光学スタック１０２および電子ディスプレイ１０４を備える様々な層を明らかにする。これらの層は、ガラスパネル２０４の下に配置されたタッチスクリーン層２１６を追加した図２に関して図示および説明したものと同じであってもよい。タッチスクリーン層２１６は、ユーザの指または他の付属物の位置を検出するように構成されたワイヤおよび電極のグリッドを備えることができる。タッチスクリーン層２１６は、タッチ入力１１４に電気的に接続することができる。例示的な実施形態では、タッチスクリーン２１６は表示領域の少なくとも一部と同一の広がり有する。
【００２７】
[0033] 図５を参照する。図３の切断線Ｃ−Ｃに沿った詳細な断面図は、電子ディスプレイ１０４が光学スタック１０２の下に配置されていない領域におけるミラーディスプレイ２００の内部構造および様々な層を明らかにする。これらの領域には、上に示し説明した層からなる光学スタック１０２のみが存在してもよい。これは、電子ディスプレイ１０４が他に存在するであろう空洞領域をもたらし得る。例示的な実施形態では、電源、冷却または熱管理システム、プロセッサ１１２、ＴＣＯＮ１０６、ビデオプレーヤ１０８、およびネットワークインターフェースコントローラ１１０などの、ただしこれらに限定されない様々な電子部品２２０をこれは必須ではないがこの領域に固定することができる。他の実施形態では、この図に示すように、様々な電子部品２２０を光学スタック１０２の後ろではなく、光学スタック１０２の上または下に配置することができる。
【００２８】
[0034] 図６を参照する。ミラーディスプレイ２００は、ユーザ／視聴者がミラーディスプレイ２００の視野内にあるかどうかを検出するようにセンサ１１６と通信することができる。ユーザが視野に入っていない場合、ミラーディスプレイ２００は低電力モードで駆動されてもよい（ディスプレイによって輝度がほとんどまたはまったく生成されない）。例示的な実施形態では、低電力モードは、電子ディスプレイ１０４のバックライト（使用されている場合）を低減レベルまたは電力が印加されていないレベルで駆動することを含み得る。低電力モードは、ユーザが視野内であるまで、またはミラーディスプレイ２００を視認する近接内であるまで継続することができる。
【００２９】
[0035] ユーザが視野に入っている場合、ミラーディスプレイ２００は、広告画像、小売商品などの画像を表示してもよい。例示的な実施形態では、ミラーディスプレイ２００はまた、視聴者がタッチ入力と係合してそれを提供するためのメニュー選択または他の対話型要素を表示することができる。ミラーディスプレイ２００は、タッチ入力１１４を監視して、ユーザからのタッチ入力が受信されたかどうかを判定することができる。タッチ入力が受信されていない場合、ミラーディスプレイ２００は、予めプログラムされた指示に基づいて、対話型要素を備える同じまたは異なる画像を表示し続けることができる。タッチ入力が受信された場合、プロセッサ１１２はタッチ入力を解釈し、それに従って表示画像を調整するようにビデオプレーヤ１０８に指示することができる。ビデオプレーヤ１０８は、電子ディスプレイ１０４上に表示するために調整された画像をＴＣＯＮ１０６に送信することができる。
【００３０】
[0036] 本発明の好ましい実施形態を示し説明してきたが、当業者であれば、説明した発明に影響を与えるために多くの変形および修正を加えることができ、それでも特許請求の範囲内であり得ることを理解する。さらに、上に示した要素の多くは、同じ結果をもたらし、特許請求の発明の趣旨の範囲内に入る異なる要素によって変更または置換することができる。したがって、特許請求の範囲によって示されるようにのみ本発明を限定することが意図されている。
【図１】
2019527849.tif 000003
【図２】
2019527849.tif 000004
【図３】
2019527849.tif 000005
【図４】
2019527849.tif 000006
【図５】
2019527849.tif 000007
【図６】
2019527849.tif 000008
【国際調査報告】
2019527849.tif 000009
2019527849.tif 000010